(57)【特許請求の範囲】
【請求項１】
活性炭を、グリセリンを含有するアルギン酸またはコンニャクの二価金属塩よりなるゲル状物質で被覆したのち、凍結処理し、ついで該グリセリンの一部または全部を除去してなる吸着剤。
【請求項２】
該活性炭を第１のゲル状物質で被覆してなる第１の吸着剤部と第２のゲル状物質部で被覆してなる第２の吸着剤部とからなる請求項１に記載の吸着剤。
【請求項３】
前記第１の吸着剤部または前記第２の吸着剤部のいずれか一方に味付けを施してなる請求項２に記載の吸着剤。
【請求項４】
請求項１〜３のいずれか一つに記載の吸着剤を乾燥させてなる吸着剤。
【請求項５】
請求項１〜４のいずれか一つに記載の吸着剤からなる有害物質の吸着除去剤。
【請求項６】
前記有害物質は食品もしくは飼料に付着もしくは含有されるかまたは消化器系内に摂取された食品添加物、飼料添加物、農薬類、食中毒の原因物質、アレルゲン、重金属または毒性の強い有機化合物である請求項５に記載の有害物質の吸着除去剤。
【請求項７】
前記飼料添加物は抗生物質、合成抗菌剤またはホルモン剤である請求項６に記載の有害物質の吸着除去剤。
【請求項８】
前記食中毒の原因物質は外毒素、自然毒または有害化学物質である請求項６に記載の有害物質の吸着除去剤。
【請求項９】
前記有害物質は抗生物質を経口投与した際の抗生物質自体または抗生物質が腸内細菌に作用して生成する有害物質である請求項５に記載の有害物質の吸着除去剤。
【請求項１０】
請求項１〜９のいずれか一つに記載の吸着剤からなる消化器系内に摂取された余剰栄養素の吸着除去剤。
【請求項１１】
請求項１〜９のいずれか一つに記載の吸着剤からなるアルコール摂取後消化器系内に生成するアルコールの中間代謝物の吸着除去剤。
【請求項１２】
請求項１〜９のいずれか一つに記載の吸着剤からなる油脂中の不飽和脂肪酸のハイドロパーオキサイドの吸着除去剤。
【請求項１３】
請求項１〜９のいずれか一つに記載の吸着剤からなる防臭剤。
【請求項１４】
請求項１〜９のいずれか一つに記載の吸着剤を０．０１〜６０重量％混入した加工食品または飼料。
【請求項１５】
活性炭およびグリセリンを含有するアルギン酸またはオリゴマンナンの二価金属塩よりなるゲル状物質の混合水溶液を粒状体に変換し、該粒状体を凍結処理に供し、ついで該グリセリンの一部または全部を除去してなる吸着剤の製造方法。
【請求項１６】
該活性炭を第１のゲル状物質で被覆して第１の吸着剤部を形成し、ついで第２のゲル状物質で該第１の吸着剤部を被覆して第２の吸着剤部を形成し、さらに該グリセリンの一部または全部を除去することを特徴とする請求項１５に記載の方法。
【請求項１７】
該吸着剤は、さらに乾燥されてなる請求項１５または１６に記載の方法。
【請求項１８】
該吸着剤は、有害物質除去用である請求項１５〜１７のいずれか一つに記載の方法。
【請求項１９】
前記有害物質は食品もしくは飼料に付着もしくは含有されるまたは消化器系内に摂取された食品添加物、飼料添加物、農薬類、食中毒の原因物質、アレルゲン、重金属または毒性の強い有機化合物である請求項１８に記載の方法。
【請求項２０】
前記飼料添加物は抗生物質、合成抗菌剤またはホルモン剤である請求項１９に記載の有害物質の方法。
【請求項２１】
前記食中毒の原因物質は、自然毒または有害化学物質である請求項１９に記載の方法。
【発明の詳細な説明】
技術分野
本発明は、有害物質の吸着除去剤等に用いる新規吸着剤およびその製造方法に関する。詳しくは吸着体をゲル状物質で被覆してなる吸着剤およびその製造方法に関する。
背景技術
活性炭は、比表面積が大きく高い吸着能を示し、代表的な吸着剤として各種用途に使用されている。しかし、活性炭を自家中毒、薬物中毒等の原因物質の吸着除去等の目的で薬用炭として直接消化器系内に投与した場合、便秘を生ずるという弊害を有していた。また、活性炭を食品等に混入して摂取しようとした場合、食するに際して異物感があり、食材を黒色に汚染するという問題もあった。さらに、動物細胞では、細胞膜外層の蛋白または糖蛋白に微粒子活性炭が吸着されることも知られており、微粒子活性炭を有害物質の吸着除去剤等として直接消化器系内に投与した場合、その一部が消化器系内の細胞に吸着残留しこれを完全に消化器系外に排出させることが極めて難しいと考えられる。
これらの問題を解決するため、活性炭をコンニヤク等の水不溶化マンナンやアルギン酸カルシウム等の架橋ポリマー等で被覆した吸着剤が提案されている（特開昭５５−９５６１１号公報、特開平４−２１０２３９号公報）。しかし、これらの吸着剤は、活性炭の粒子表面に被膜を形成するものであるため、表面積の低下等を招き活性炭本来が有する吸着能を十分に発現させることができないという問題を有していた。
本発明は、上記従来技術の問題点に鑑み成されたものであり、その目的とするところは、活性炭等の吸着体が本来有する吸着能力を低下せしめることなく、直接食品等に接触させまたは直接消化器系内に投与することにより、食品等に付着もしくは含有されるまたは消化器系内に存在する有害物質等を極めて高率に吸着除去しうる吸着剤を提供することにある。
発明の開示
前記諸目的は、下記（１）〜（２１）により達成される。
（１）活性炭を、グリセリンを含有するアルギン酸またはコンニャクの二価金属塩よりなるゲル状物質で被覆したのち、凍結処理し、ついで該グリセリンの一部または全部を除去してなる吸着剤。
（２）該活性炭を第１のゲル状物質で被覆してなる第１の吸着剤部と第２のゲル状物質部で被覆してなる第２の吸着剤部とからなる前記（１）に記載の吸着剤。
（３）前記第１の吸着剤部または前記第２の吸着剤部のいずれか一方に味付けを施してなる前記（２）に記載の吸着剤。
（４）前記（１）〜（３）のいずれか一つに記載の吸着剤を乾燥させてなる吸着剤。
（５）前記（１）〜（４）のいずれか一つに記載の吸着剤からなる有害物質の吸着除去剤。
（６）前記有害物質は食品もしくは飼料に付着もしくは含有されるかまたは消化器系内に摂取された食品添加物、飼料添加物、農薬類、食中毒の原因物質、アレルゲン、重金属または毒性の強い有機化合物である前記（５）に記載の有害物質の吸着除去剤。
（７）前記飼料添加物は抗生物質、合成抗菌剤またはホルモン剤である前記（６）に記載の有害物質の吸着除去剤。
（８）前記食中毒の原因物質は外毒素、自然毒または有害化学物質である前記（６）に記載の有害物質の吸着除去剤。
（９）前記有害物質は抗生物質を経口投与した際の抗生物質自体または抗生物質が腸内細菌に作用して生成する有害物質である前記（５）に記載の有害物質の吸着除去剤。
（１０）前記（１）〜（９）のいずれか一つに記載の吸着剤からなる消化器系内に摂取された余剰栄養素の吸着除去剤。
（１１）前記（１）〜（９）のいずれか一つに記載の吸着剤からなるアルコール摂取後消化器系内に生成するアルコールの中間代謝物の吸着除去剤。
（１２）前記（１）〜（９）のいずれか一つに記載の吸着剤からなる油脂中の不飽和脂肪酸のハイドロパーオキサイドの吸着除去剤。
（１３）前記（１）〜（９）のいずれか一つに記載の吸着剤からなる防臭剤。
（１４）前記（１）〜（９）のいずれか一つに記載の吸着剤を０．０１〜６０重量％混入した加工食品または飼料。
（１５）活性炭およびグリセリンを含有するアルギン酸またはオリゴマンナンの二価金属塩よりなるゲル状物質の混合水溶液を粒状体に変換し、該粒状体を凍結処理に供し、ついで該グリセリンの一部または全部を除去してなる吸着剤の製造方法。
（１６）該活性炭を第１のゲル状物質で被覆して第１の吸着剤部を形成し、ついで第２のゲル状物質で該第１の吸着剤部を被覆して第２の吸着剤部を形成し、さらに該グリセリンの一部または全部を除去することを特徴とする前記（１５）に記載の方法。
（１７）該吸着剤は、さらに乾燥されてなる前記（１５）または（１６）に記載の方法。
（１８）該吸着剤は、有害物質除去用である前記（１５）〜（１７）のいずれか一つに記載の方法。
（１９）前記有害物質は食品もしくは飼料に付着もしくは含有されるまたは消化器系内に摂取された食品添加物、飼料添加物、農薬類、食中毒の原因物質、アレルゲン、重金属または毒性の強い有機化合物である前記（１８）に記載の方法。
（２０）前記飼料添加物は抗生物質、合成抗菌剤またはホルモン剤である前記（１９）に記載の有害物質の方法。
（２１）前記食中毒の原因物質は、自然毒または有害化学物質である前記（１９）に記載の方法。
本発明の吸着剤では、吸着体をゲル状物質で被覆したのち凍結処理することにより、被膜のゲル状物質中の水分が凝結し、架橋のみにより形成された孔径よりは大きな径の微細孔が該被膜に形成され、これにより吸着体が本来有する吸着能を維持しうるものと考えられる。
同様に、吸着体を針状の氷結晶の生成を抑える凍害防止物質を含むゲル状物質で被覆したのち該凍害防止物質を除去することによっても、被膜のゲル状物質中に同様な微細孔が形成され、同様の効果を発現しうるものと考えられる。
さらに、本発明の吸着剤は、吸着体として粉末活性炭等の微粒子を用いた場合、吸着体をゲル状物質中に均一に分散させた分散系からなるので、活性炭の高分散化により活性炭単独で使用するよりも吸着剤全体としての有効吸着面積が増加し、吸着能の増大により有害物質等を極めて高率に吸着除去することができる。
また、本発明の吸着剤は、吸着体をゲル状物質で被覆しているので、消化器系内に直接投与することができ、食品等に混入されて消化器系内に摂取された有害物質を消化器系内において簡便に吸着除去することができる。しかも、消化器系内に直接投与しても便秘等を伴うことなく、消化器系内の有害物質を吸着除去した後の吸着剤は、極めて速やかに容易に消化器系外に排出されうるものである。
また、本発明の吸着剤は、食品等に混合接触させて食品等に含まれる有害物質等を吸着除去することもできる。この場合、吸着体を単独で使用した場合に比べ、有害物質を吸着除去後の吸着剤を食品から簡単に短時間で分離することができる。さらに、誤って吸着剤が分離されずに食品等に混入して消化器系内に摂取されたとしても、上述のように迅速に消化器系外に排出されるので安全である。
本発明の吸着剤は、上述のように消化器系内に直接投与して利用するほか、加工食品等に混合して利用することもできる。本発明の吸着剤は、加工食品等に混合しても食する際に異物感がなく食感に優れるうえ、食材を黒色に汚染することもない。
本発明の吸着剤は、人体に有害な物質の吸着除去剤等としてヒトに対して利用できるほか、飼養動物に対しても利用することができる。すなわち、本発明の吸着剤を用いて飼料を処理し、または本発明の吸着剤を直接もしくは飼料に混合することにより飼養動物に投与して利用できる。
発明を実施するための最良の形態
本発明の吸着剤は、吸着体をゲル状物質で被覆したのち凍結処理することにより得ることができる。
本発明の吸着剤において使用する吸着体としては、活性炭が好適である。
吸着剤として活性炭を用いる場合、紛状、粒状、繊維状等の種々の形状のものを用いることができるが、紛状または粒状の活性炭が特に好ましい。この場合、活性炭の粒径は、５μｍ〜１０ｍｍがよい。活性炭の粒径が５μｍ未満では取り扱いが困難になり、１０ｍｍを越えると活性炭の単位重量当たりの吸着能が低下する。また、ゲル状物質中への活性炭の混合量は０．０２〜９０重量％がよい。活性炭の混合量が０．０２重量％未満では吸着効果が低く、９０重量％を超えるとゲル状物質中に分散させることが困難になる。
本発明の吸着剤において使用するゲル状物質としては、消化器系内に投与しても無害なゲル状物質、たとえば高分子ポリカルボン酸の二価金属塩が挙げられる。高分子ポリカルボン酸の二価金属塩としては、アルギン酸が挙げられる。
高分子ポリカルボン酸の二価金属塩を用いた吸着剤は、高分子ポリカルボン酸のアルカリ金属塩またはアンモニウム塩と活性炭粉末等の吸着体の懸濁液を二価金属塩水溶液中に滴下することにより得られる。上記懸濁液の高分子ポリカルボン酸のアルカリ金属塩またはアンモニウム塩の濃度は０．０１〜５モルがよく、下限未満では吸着体を被覆または分散するしっかりしたゲルが得られず、上限を超えると吸着体をとりまく高分子ポリカルボン酸塩が多く、被吸着物の吸着体内部への進入が阻害され吸着能が著しく低下する。また、二価金属塩水溶液の濃度は０．０５〜５モルがよく、下限未満では架橋率が少なく吸着体の強度が弱くなり、上限を越えると架橋率が大きくなり吸着体の孔径が極めて小さくなり、被吸着体が吸着体内部へ進入しにくくなる。
また、本発明においては、ゲル状物質として、コンニャクを用いることもできる。これらのゲル状物質を用いた吸着剤は、それぞれのゲル状食品の製造過程でゲル形成前に活性炭粉末等の吸着体を適宜添加し分散させることにより得られる。
また、本発明の吸着剤では、上記ゲル状物質を単独で用いても複数混合して用いても良い。さらに、必要に応じて、アーモンドガム、アエロモナスガム、アソトバクター・ピネランジーガム、アマシードガム、アラビアガム、アラビノガラクタン、アルギン酸、アロエベラ抽出物、ウェランガム、エルウィエア・ミツエンシスガム、エレミ樹脂、エンテロバクター・シマナスガム、エンテロバクター・ガム、オラク抽出物、カードラン、海藻セルロース、カシアガム、褐藻抽出物、カラギナン、カラヤガム、カロブビーンガム、ガチィガム、キサンタンガム、キダチアロエ抽出物、キチン、キトサン、グァーアガム、グルコサミン、酵母細胞膜、サイリウムシードガム、ジュランガム、スクレロガム、セスレロガム、セスバニアガム、タマリンドシードガム、タラガム、ダンマル樹脂、プキストッソ、トラガントガム、トリアカンソスガム、トロロアオイ、納豆菌ガム、微小繊維状セルロース、ノァーセレラン、ゾルラン、ベクチン、マクロホモブシスガム、ラムザンガム、レバンなどの増粘安定剤、エレミ樹脂、オウリキュウリロウ、オゾケライト、オポバナックス樹脂、カウリガム、カルナウバロウ、カンデリヲロウ、ゲイロウ、クラウンガム、グッタカチュウ、グッタハンカン、グッタベルカ、グアヤク樹脂、グアユーレ、コーパル樹脂、コパイパパルサム、コメヌカロウ、ゴム、ゴム分解樹脂、サトウキビロウ、サンダラック樹脂、シェラック（精製シェラック、白シェラック）、シェラックロウ、ジュルトン、ソルバ、ソルビンバ、タルク、ダンマル樹脂、チクブル、チクル、チルテ、ツメー、低分子ゴム、ニュウコウ、ニガーグッタ、ニスベロ、パラタ、パラフィンソックス、ファーバルサム、粉末パルプ、粉末モミガラ、ベネズエラチクル、ベンゾインガム、ベリージョ、ホホパロウ、マッサランドバチョコレート、マッサランドババラタ、マイクロクリスタリンソックス、マスチック、ミツロウ、ミルラ、モクロウ、モンタンロウ、油糠種子ロウ、ラノリン、レッチュブバカ、ロジデインハ、ロジンなどのガムベース、オウリキュウリロウ、カルナウパロウ、カンデリラロウ、ゲイロウ、コリアンダー種子、サフラン、さんしょう、しそ、シャロット、ジュニバーベリー、しょうが、シンナモン、スターアニス、スペアミント、セイジ、セボリー、セロリーシード、タイム、たで、たまねぎ、タラゴン、チコリ、チャイブ、チャーヴィル、抽出粉末香辛料、チリペパー、ディル、ナツメグ、にら、にんにく、ねぎ、バジル、パセリ、はっか集、パブリカ、ピスタチオ、フェヌグリーク、フェンネル種子、ホースラディッシュ、マージョラン、みっば、みようが、メス、ゆず、ライム、レッドペパー、レモン、ローズマリー、ローレル、わさびなどの光沢剤、チーズ、生クリーム、バター、粉乳、ホエー、練乳などの乳製品、キュラソー、キルシュワッサー、シェリー酒、清酒、ビール、ぶどう酒、ブランデー、粉末酒、ベルモット、ラム酒、リキュールなどの酒類、α化でんぷん、アルファ米、あん、ウーロン茶、エロウテロコック抽出物、乾燥野菜、寒天、グルテン、クロレラ、血球粉末、血漿粉末、こうじ、紅茶、コーヒー、酵母、高麗人参、ココア、米粉、こめぬか、小麦粉、小麦胚芽、コラーゲン、こんにゃ���粉、酢酸菌、酒粕、ジャム、食塩、スピルリナ、精製魚肉タンパク質、精製小麦タンパク質、精製大豆タンパク質、ゼラチン、そば粉、種こうじ、チョコレート、デキストリン、でんぷん、とうもろこし粉、なっとう菌、難消化性デキストリン、乳酸菌、乳糖、麦芽、麦芽エキス、ハム、ビフィズス菌、ふすま、部分α化でんぶん、粉末ばれいしょ、粉末やまのいも、ベニこうじ、ヘミセルロース、まっ茶、みかんパルプ、卵黄粉末、卵黄油、卵白、緑茶等を添加しても良い。
本発明の吸着剤は、活性炭を、凍害防止物質であるグリセリンを含むゲル状物質で被覆したのち該グリセリンの一部または全部を除去することによっても得ることができる。
なお、本発明の吸着剤を消化器内に投与する形態で利用する際には、服用を容易にするため吸着剤自身に適当な味付けを施してもよい。
本発明の吸着剤は、食品もしくは飼料に付着もしくは含有されるまたは消化器系内に摂取された食品添加物、飼料添加物、農薬類、食中毒の原因物質、アレルゲン、重金属、毒性の強い有機化合物等の有害物質を吸着除去するのに用いることができる。
すなわち、本発明の吸着剤は、サッカリンおよびその塩類、グリチルリチン酸二カリウム、グリチルリチン酸三カリウム、アセト酢酸エチル等の甘味料、三二酸化鉄、食用赤色３号、４０号、１０２号、１０４号、１０５号、１０６号、食用黄色４号、５号、食用緑色３号、食用青色１号、２号、二酸化チタン等の着色料、安息香酸、オルトフェニルフェノール、ソルビン酸、デヒドロ酢酸、プロピオン酸およびそれらの塩類、ジフェニル、チアベンダゾール、パラオキシ安息香酸エステル類等の保存料、プロピレングリコール等の品質保持剤、アルギン酸プロピレングリコール、カルボキシメチルセルロースカリウム、カルボキシメチルセルロースナトリウム、デンプングリコール酸ナトリウム、デンプンリン酸エステルナトリウム、メチルセルロース、ポリアクリル酸ナトリウム等の増粘剤・安定剤・ゲル化剤・糊料、ｄ１−αトコフェロール、二リソルビン酸およびそのナトリウム塩、グアヤク脂、クエン酸イソプロピル、ジブチルヒドロキシトルエン、ノルジヒドログアヤレチック酸、ブチルヒドロキシアニソール、没食子酸プロピル、エチレンジアミン四酢酸カルシウム二ナトリウム、エチレンジアミン四酢酸二ナトリウム等の酸化防止剤、亜硝酸ナトリウム、硝酸カリウム、硝酸ナトリウム、硫酸第一鉄、リン酸塩等の発色剤、過酸化水素、次亜塩素酸、次亜塩素酸ナトリウム等の殺菌剤、亜硫酸およびその塩類等の漂白剤、オルトフェニルフェノールおよびその塩類、ジフェニル、チアベンダゾール等の防カビ・防ばい剤等の食品添加物の吸着除去に利用することができる。
また、農薬類としては、ＭＥＰ、ダイアジノン、ＰＡＰ、ＩＢＰ、ＥＤＤＰ、ＤＤＶＰ、ＤＥＰ、マラソン、ＥＰＮ等の有機リン、クロロサロニル、クロルピクリン、Ｄ−Ｄ、ピラゾレート、ＰＣＮＢ、フラサイド、ＤＣＩＰ、プロシミドン等の有機塩素、ＢＰＭＣ、ＭＴＭＣ、ＸＭＣ、ＭＣＣ、ＭＩＰＣ等のカーバメート、臭化メチル等の有機臭素、チオファネートメチル等のベンゾイミダゾール、ベンチオカーブ等のチオカーバメイト、ＣＮＰ等のジフェニルエーテル、塩素酸塩等の塩素、キャプタン等のフタルイミド、マンネブ等のジチオカルバメート、パラコート等のビピリジウム、クロメトキシニル等のジフェニルエーテル、ＤＣＰＡ等の酸アミド、無機銅等の銅、セトキシジム、イソプロチオラン、プロベナゾール、ダイムロン、ナプロアニリド等の殺菌剤、殺虫剤、除草剤等に適用することができる。また、アレルゲンとしては、アレルギーよう食中毒の原因であり肉等の腐敗により生成するヒスタミン等、重金属としては、水銀、鉛、六角クロム、カドミウム、セレン、ヒ素、銅、鉄、亜鉛等、毒性の強い有機化合物としては、リン化物、塩化物、ベンゼン等の吸着除去に利用することができる。
本発明の吸着剤はまた、食中毒の原因物質である外毒素、自然毒、有毒化学物質等の吸着除去に利用することができる。このような外毒素としては、ボツリヌス菌産生毒素（Ａ〜Ｆ型）、クロストリジウムディフィシル産生のエンテロトキシンおよびサイトトキシン、ウェルシュ菌産生のエンテロトキシン、毒素原性大腸菌産生の易熱性エンテロトキシンおよび耐熱性エンテロトキシン、赤痢菌産生の志賀毒素、ブドウ球菌産生のエンテロトキシン（Ａ〜Ｅ型）、コレラ菌産生のコレラ毒素、腸炎ビブリオ産生の耐熱性溶血毒およびエンテロトキシン、エルシニアエンテロコリチカ産生のエンテロトキシン等の腸管感染原因菌の産生ずる毒素、ベロトキシン等の腸管出血性大腸菌産生のベロ毒素、セレウス菌産生毒素等、自然毒としては、テトロドトキシン（フグ毒）、Ａｍａｔｏｘｉｎｓ、ｐｈａＩｌｏｔｏｘｉｎｓ、ｍｕｓｃａｒｉｎｅ、ｍｕｓｃａｒｉｄｉｎｅ、ｉｂｏｔｅｎｉｃ  ａｃｉｄ、ｂｕｆｏｔｅｎｉｎｅ、ｍｕｓｃｉｍｏｌ、ｐｓｉｌｏｃｙｂｉｎ、ｐｓｉｌｏｃｉｎ、ｓｅｒｏｔｉｎｉｎ、ｇｙｒｏｍｉｔｒｉｎ（ｈｅｌｖｅｌｌｉｃ  ａｃｉｄ）、ｉｌｌｕｄｉｎ等のキノコ毒、サキシトキシン、ネオサキシトキシン、ゴニオトキシン等の麻痺性貝毒、オカダ酸、ディノフィシストキシン−１、−３、ペクテノトキシン等の下痢性貝毒、ビタミンＡ（イシナギ中毒）、ペネルピン（あさり毒）、テテラミン（テトラミン中毒）、ネオスルガトキシンおよびプロスルガトキシン（バイ中毒）、パイフェオホルパイトａ（光線過敏症）等の魚介類の毒、ソラニン（ジャガイモ）、アトロピン、スコポラミン、Ｌ−ヒヨスチアミン、アコニチン、シアン化水素（ウメ、モモ、アンズ、リンゴ、ナシの種にそれ自体無毒である青酸配合体の形で存在するが体内で青酸を発生する）、４’−メトキシピリドキシン（ギンナン中毒）、アフラトキシン（カビ毒）等、有害化学物質としては、メタノール、ヒ素、シアン化合物、グルタミン酸ナトリウム、サッカリンナトリウム、スズ、銅、亜鉛、カドミウム、ヒ素化合物、フッ化ナトリウム等が挙げられる。
また、本発明の吸着剤により、抗生物質を経口投与した際の抗生物質自体または抗生物質が腸肉細菌に作用して生成する有害物質を除去することができる。
また、近年、家畜の発育促進や感染症治療または予防のために抗生物質や合成抗菌剤等を飼料に添加したり、雄牛の肉質改善のために女性ホルモン等のホルモン剤を投与することが行われているが、これらが残留した乳製品や食肉類を摂取することによるアレルギー症状や性的発育異常等の発現、合成抗菌剤の発ガン性等が問題となっている。本発明の吸着剤は、乳製品や食肉類等に残留するペニシリン等の抗生物質、サルファ剤等の合成抗菌剤、プロゲストロン、エストラジオール等のホルモン剤等の飼料添加物の吸着除去にも利用することができる。
また、本発明の吸着剤は、消化器系内に摂取された余剰栄養素を吸着除去するのにも使用することができる。後述するように、本発明の吸着剤は、細胞培養試験において培地中の栄養源を吸着することにより細胞増殖を抑制する働きがあり、食品等と一緒にまたは食前もしくは食後に摂取することにより食物等の代謝を抑制するので抗肥満剤等や食餌療法にも利用することができる。すなわち、たとえば、通常の食餌量の約２０％を本発明の吸着剤と置き換え摂取することにより、本発明の吸着剤がさらに食品等の養分の２０〜２５％を吸着除去するので、吸収対象の養分量が実質的に６０〜６４％となる。体重の減量に留意しながらこれを繰り返すことにより、段階的に減量が達成され適正体重に矯正することができるものである。しかも、通常と同じ摂取量なので空腹感がなく、すなわちストレスを発生させることないので長く当該食餌療法を続けることができる。
さらに、本発明の吸着剤は、酒類に含有きれるオリゴマー、添加物類等を吸着除去し、さらに飲酒後消化器系内に生成するアルコールの中間代謝物であるアセトアルデヒド等を吸着除去するのに用いることができる。すなわち、哺乳動物におけるアルコール（エチルアルコール）代謝は段階的に進行して中間代謝物としてアセトアルデヒドを生成し、アセトアルデヒドはついで酢酸とアセチル−ＣｏＡに酸化される。これらのアルコール代謝において、アセトアルデヒドの濃度が高くなると悪心、嘔吐、顔面紅潮、心拍増加、拍動性頭痛、皮膚温上昇、最低血圧低下等の症状（アセトアルデヒド症状、いわゆる二日酔い）が起こる。また、酒類に含有されるオリゴマー、添加物等も一因となるといわれている。
したがって、飲酒の際またはその前後に本発明の吸着剤を摂取し、酒類に含有されるオリゴマー、添加物等を吸着除去するとともに、消化器系内に生成するアセトアルデヒドをも吸着除去することによって、これらのアセトアルデヒド症状を予防または治療することができる。また、メタノール等の誤用による中毒症状もそのアルコールの中間代謝物に起因するものであるが、これらのアチドーシスの治療にも利用することができる。
本発明の吸着剤はまた、分子量１００〜数万の官能性オリゴマー、たとえばプリオン等の病原性蛋白質、脂肪酸、糖類またはこれらの組合せ化合物等の吸着除去に用いることができる。
本発明の吸着剤はさらに、バルビツール酸系薬剤、農薬、睡眠薬、鎮静薬、抗うつ薬、鎮痛薬、心血管作動薬、抗生物質、抗癌薬、覚醒薬等の薬物中毒における当該薬物の吸着除去に用いることができる。
また、本発明の吸着剤は、食用油等の油脂の酸敗の原因物質である不飽和脂肪酸のハイドロパーオキサイドの吸着除去に用いることができる。すなわち、食用油等の油脂の酸敗の原因は、主として油脂中の不飽和脂肪酸が空気中の酸素により自動酸化され、ハイドロパーオキサイドを生成することにあり、ハイドロパーオキサイドはさらに分解して、アルデヒド、ケトン、低級脂肪酸等を生じ臭いや味を悪くする。本発明の吸着剤は、自動酸化により生じた油脂中の不飽和脂肪酸のハイドロパーオキサイドを吸着するので、油脂の酸敗防止剤等としても利用することができる。
さらに、本発明の吸着剤は、魚臭等の臭気成分を吸着除去に用いることができる。すなわち、本発明の吸着剤は、魚臭成分であるアンモニア、トリメチルアミン等の揮発性塩基類、希酸、酢酸等の揮発性酸類、ホルムアルデヒド、アセトアルデヒド等の揮発性カルボニル化合物、硫化水素、メチルメルカプタン等の揮発性含硫化合物、アルコール、フェノール等の非力ルボニル中性化合物等や、他の代表的臭気成分等を吸着除去するので防臭剤等としても利用することができる。
本発明の他の一つは、上記吸着剤を０．０１〜６０重量％混入した加工食品または飼料である。本発明の吸着剤の加工食品等への混合量を０．０１〜６０重量％としたのは、０．０１重量％未満では十分な吸着能が得られず、６０％を超えると食品等としての風合いや食感が得られず異物感がひどくなるからである。
吸着剤を混入する加工食品としては、ヨーグルト、チーズ等の乳製品、かまばこ、ちくわ、はんぺん、さつま揚げ、なると、つみれ等の水産練り製品、でんぶ等の魚介類加工品、ソーセージ、フランクフルト、レバーペースト等の食肉加工品、豆腐、焼き豆腐、生揚げ、油揚げ、がんもどき、おから、凍り豆腐、湯葉等の豆製品、ピューレ等の野菜加工品、マッシュポテト、くず、はるさめ、こんにゃく、しらたき等の芋加工品、もち、白玉、白飯、麩、ビーフン、マカロニ、スパゲッティ、そうめん、そば、うどん、中華めん、食パン、乾パン、アンパン等の穀物の加工品、ジャム等の甘味類、バター、マーガリン、マヨネーズ、ドレッシング等の油脂類、あめ、らくがん、せんべい、あられ、カステラ、ようかん、もなか、まんじゅう、大福もち、だんご、ういろう、チョコレート、ビスケット、クッキー、ドーナツ、ケーキ、パイ、アイスクリーム、プリン、ババロア等の菓子類、豆腐、ゼリー、コンニャク、寒天、エゴまたはトコロテン等のゲル状食品、コンブ、ワカメ、ノリ、テングサ等の海草類等が挙げられる。
なお、加工食品に吸着剤を混入する際には、吸着剤が加工食品の味成分を吸着するのを防止する等のため、たとえばゼリーを例にとれば、味付けなしの部分（層）と味付けした部分（層）を設け、味付けなしの部分（層）に吸着剤を混入したり、前述のようにあらかじめ味付けを施した吸着剤を味付けなしのゼリーに混入する等の方法を採ってもよい。
次に、本発明を実施例をもってさらに具体的に説明するが、本発明はこれらの実施例に限定されるものではない。
［実施例１］
吸着剤（グリセリン添加・活性炭入りコンニャク）の製造
コンニャク精粉１６ｇと平均粒径３０μｍの活性炭１６ｇとをよく混ぜ、３０℃の５重量％グリセリン水溶液７５０ｍｌに固まりができないように少量ずつ加え、攪拌しながら強火で約５分間加熱した。気泡がぶつぶつ吹き出すようになったのち中火にして７〜８分間攪拌を続け、その後４０℃程度まで冷却した。これに、乳鉢でよくすり潰したＣａＯ０．６４ｇを４０℃の温湯５０ｍｌに溶かしたものを加え、全体を手早くこね、型箱に入れて指でよく押さえ内部の空気を抜いて均質にした。型箱ごと熱湯中に入れて約５分間加熱し、型箱から取り出してさらに２５分間５重量％グリセリン水溶液１０００ｍｌ中で加熱を続けて完全に凝固させ、グリセリン添加活性炭入りコンニャク６５０ｇを得た。これを流水にさらしてグリセリン除去およびあく抜きをし、約１ｍｍ3に細切して、本発明の吸着剤（グリセリン添加・活性炭入りコンニャク）を得た。
［実施例２］
吸着剤（グリセリン添加・凍結処理・活性炭入りコンニャク）の製造
実施例１と同様にして製造したグリセリン添加活性炭入りコンニャク５００ｇを液体窒素（−１９６℃）中で凍結後、４０℃の温水中で解凍した。これを流水にさらしてグリセリン除去およびあく抜きをし、約１ｍｍ3に細切して、本発明の吸着剤（グリセリン添加・凍結処理・活性炭入りコンニャク）を得た。
［実施例３］
吸着剤（グリセリン添加・乾燥処理・活性炭入りコンニャク）の製造
実施例１で製造した吸着剤２００ｇをさらに乾燥器で完全に乾燥して、本発明の吸着剤（グリセリン添加・乾燥処理・活性炭入りコンニャク）を得た。
［実施例４］
吸着剤（グリセリン添加・凍結・乾燥処理・活性炭入りコンニャク）の製造
実施例２で製造した吸着剤２００ｇをさらに乾燥器で完全に乾燥して、本発明の吸着剤（グリセリン添加・凍結・乾燥処理・活性炭入りコンニャク）を得た。
［比較例１］
吸着剤（活性炭入りコンニャク）の製造
実施例１において、凍結解凍処理を行わなかった以外は実施例と同様にして、比較の吸着剤（活性炭入りコンニャク）を得た。
［比較例２］
吸着剤（乾燥処理・活性炭入りコンニャク）の製造
比較例１で製造した吸着剤２００ｇをさらに乾燥器で完全に乾燥して、比較の吸着剤（乾燥処理・活性炭入りコンニャク）を得た。
［実施例５］
吸着剤（グリセリン添加・凍結処理・活性炭入りアルギン酸カルシウムゲルボール）の製造
アルギン酸ナトリウム２ｇと平均粒径１５μｍの活性炭３ｇとをよく混合し、撹幹下５重量％グリセリン水溶液８００ｍｌ中に少量ずつ添加した。さらに水を加えて全量を１０００ｍｌとし、２４時間攪拌して、活性炭０．３重量％を含むアルギン酸ナトリウム−グリセリン溶液を調製した。別に塩化カルシウム１１．１ｇを蒸留水８００ｍｌ中に溶かし、さらに蒸留水を加えて重量を１０００ｍｌとし、１．１１重量％塩化カルシウム溶液を調製した。
次に、前記アルギン酸ナトリウム−グリセリン溶液を５０ｍｌのビューレットに注入し、前記塩化カルシウム溶液５００ｍｌ中に１適づつ滴下して、グリセリン添加活性炭入りアルギン酸カルシウムゲルボールの粗製品１０ｇを−８５℃中で凍結後、４０℃の温水中で解凍した。これを流水にさらしグリセリン、未反応物および副生成物を除去して、本発明の吸着剤（グリセリン添加・凍結処理・活性炭入りアルギン酸カルシウムゲルボール）を得た。
［実施例６］
吸着剤（グリセリン添加・凍結・乾燥処理・活性炭入りアルギン酸カルシウムゲルボール）の製造
実施例５で製造した吸着剤１０ｇをさらに乾燥器で完全に乾燥して、本発明の吸着剤（グリセリン添加・凍結・乾燥処理・活性炭入りアルギン酸カルシウムゲルボール）を得た。
［比較例３］
吸着剤（活性炭入りアルギン酸カルシウムゲルボール）の製造
アルギン酸ナトリウム２ｇと平均粒径１５μｍの活性炭３ｇとをよく混合し、撹幹下水８００ｍｌ中に少量ずつ添加した。さらに水を加えて全量を１０００ｍｌとし、２４時間攪拌して、活性炭０．３重量％を含むアルギン酸ナトリウム溶液を調製した。別に塩化カルシウム１１．１ｇを蒸留水８００ｍｌ中に溶かし、さらに蒸留水を加えて重量を１０００ｍｌとし、１．１１重量％塩化カルシウム溶液を調製した。
次に、前記アルギン酸ナトリウム溶液を５０ｍｌのビューレットに注入し、前記塩化カルシウム溶液５００ｍｌ中に１適づつ滴下して、活性炭入りアルギン酸カルシウムゲルボールの粗製品１０ｇを得た。これを５ｌの容器に入れ、イオン交換水を流しつつ１０時間処理し未反応物および副生成物を除去して、活性炭入りアルギン酸カルシウムゲルボールを比較例の吸着剤（活性炭入りアルギン酸カルシウムゲルボール）としてを得た。
［比較例４］
吸着剤（乾燥処理・活性炭入りアルギン酸カルシウムゲルボール）の製造
比較例３で製造した吸着剤１０ｇをきらに乾燥器で完全に乾燥して、比較の吸着剤（乾燥処理・活性炭入りアルギン酸カルシウムゲルボール）を得た。
［実施例７］
吸着速度評価試験
実施例１〜６および比較例１〜４で製造した各吸着剤の吸着能を吸着速度をもって評価した。
３００ｍｌビーカーに各吸着剤をそれぞれ１ｇずつ計り取り、青色インク希釈液（吸光度０．１１２）を５０ｍｌずつ加えた。攪拌下、インク希釈液の波長４７５ｎｍにおける吸光度を経時的に測定し、インク添加後から前記吸光度が０．０１以下になるまでの時間を吸着速度として求めた。結果を表１に示す。なお、各吸着剤の処理条件も合わせて示した。
0003914265.tif 000002
［実施例８］
着色料（食用赤色１０４号（フロキシン））の吸着除去試験
食品添加物着色料は食品の美化または天然色の色彩模倣を目的に使用されているが、合成タール系色素で現在使用が認められているものは赤色１０４号等の水溶性酸性色素のみであり、その使用も制限されている。
吸着剤として実施例１および比較例１で製造したものを用い、ソーセージ中の食用赤色１０４号の吸着除去試験を行った。ソーセージ２０ｇを細かく砕き、吸着剤０．５ｇと水１００ｍｌを加え、攪拌下一定時間ごとに採取した液層１０ｍｌに、５倍容の温湯を加え溶解した後遠心分離し、上澄液を試験溶液とした。これを「目で見る食品衛生検査法」春田三佐夫他編集、中央法規出版、第１４６〜１４９頁に記載の方法に準じて処理し、濾紙クロマトグラフィーにより判定した。
食用赤色１０４号が検出されなくなるまでの時間は、比較例１の吸着剤では１０分間であるのに対し、実施例１の吸着剤では１分間であった。
［実施例９］
保存料（オルトフェニルフェノール（ＯＰＰ））の吸着除去試験
オルトフェニルフェノールはチャンベンダゾール（ＴＢＺ）と同様発ガン性や催奇形成が認められる。この保存料はカビ類、各種の好気性および嫌気性菌に対して発育阻止作用があり、広範囲の加工食品に使用されている。
吸着剤として実施例５および比較例３で製造したものを用い、オレンジ中のオルトフェニルフェノールの吸着除去試験を行った。オレンジを細切りした試料５０ｇをビーカーに採取し、水を約１００ｍｌ加え、さらに吸着剤１ｇを加え、攪拌下一定時間ごとに液層１０ｍｇを採取し試験溶液とした。これを「目で見る食品衛生検査法」春田三佐夫他編集、中央法規出版、第１４２〜１４３頁に記載の方法に準じて処理し、ガスクロマトグラフィーによりオルトフェニルフェノール濃度を定量した。
オルトフェニルフェノール濃度が検出限界（０．０１ｐｐｍ）以下になるまでの時間は、比較例３の吸着剤では１Ｏ分間であるのに対し、実施例５の吸着剤では３分間であった。
［実施例１０］
酸化防止剤（ジブチルヒドロキシトルエン（ＢＨＴ））の吸着除去試験駿
酸化防止剤は油脂の酸敗を防ぐことの他に、風味の損失の防止、酸化により劣化する食品の栄養価の保持、水産加工品の日焼けの防止、色素の褐色防止等の効果があり、多種類の食品に使用されている。
吸着剤として実施例５および比較例３で製造したものを用い、チューインガム中のジブチルヒドロキシトルエンの吸着除去試験を行った。チューインガム５ｇ、ＮａＣｌ５０ｇ、ピロガロール０．２ｇ、水２００ｍｌ、沸騰石および吸着剤１ｇを５００ｍｌのナス型フラスコに入れ、還流冷却器付の連続抽出器に接続し連続抽出して、一定時間ごとの抽出液１０ｍｌを採取し試験溶液とした。これを「目で見る食品衛生検査法」春田三佐夫他編集、中央法規出版、第１５８〜１５９頁に記載の方法に準じて処理し、ガスクロマトグラフィーによりジブチルヒドロキシトルエン濃度を定量した。
ジブチルヒドロキシトルエン濃度が検出限界（０．０１ｇ／ｋｇ）以下になるまでの時間は、比較例３の吸着剤では１０分間であるのに対し、実施例５の吸着剤では４分間であった。
［実施例１１］
殺菌料（過酸化水素）の吸着除去法試験
過酸化水素は強力な酸化作用、殺菌力を有するが、マウスへの経口投与で十二指腸に微弱ながらがんの発生が認められて以来使用が制限され、現在はカズノコのみに使用されている。
吸着剤として実施例１および比較例１で製造したものを用い、カズノコ中の過酸化水素の吸着除去試験を行った。細切りしたカズノコ約５ｇを採り、磨砕用カップに入れ、浸出用液４０ｍｌを加え、外側から氷冷しながら３分間激しくかき混ぜた後、吸着剤０．３ｇを加えた。撹拌下一定時間ごとに採取した液層１０ｍｌに、シリコーンを０．１ｍｌ加えて生成した気泡を除去し、水を加えて５０ｍｌとした後よくかき混ぜろ過した。ろ液は最初の５ｍｌを捨て、そのまま試験溶液とした。これを「目で見る食品衛生検査法」春田三佐夫他編集、中央法規出版、第１４４〜１４５頁に記載の方法に準じて処理し、酸素電位測定により過酸化水素濃度を定量した。
過酸化水素濃度が検出限界（０．０１ｐｐｍ）以下になるまでの時間は、比較例１の吸着剤では５分間であるのに対し、実施例１の吸着剤では１分間であった。
［実施例１２］
牛肉中の女性ホルモン（エストラジオール）の吸着除去実験
吸着剤として実施例１および比較例１で製造したものを用い、牛肉中のエストラジオールの吸着除去試験を行った。エストラジオールを混餌投与した雄牛肉２５ｇを採取し、水を加えて全量を５０ｇとした。これに吸着剤７ｇを加え、撹拌下一定時間ごとに液層１０ｍｌを採取して５０００ｒｐｍで遠心分離し、上澄み液を試験溶液とした。これをＲＩＡ（Ｒａｄｉｏｉｍｍｕｎｏａｓｓａｙ）放射免疫測定法（「臨床検査法提要」改訂第３０版  金井正光編著  金原出版株式会社  第８１８頁）に従い、エストラジオール測定キット（エストラジオール＝抗体キット；日本ＤＰＣ製）を用いてエストラジオール濃度を測定した。
エストラジオール濃度が検出限界（５ｐｇ／ｍｌ）以下になるまでの時間は、比較例１の吸着剤では１０分間であるのに対し、実施例１の吸着剤では１．５分間であった。
［実施例１３］
牛乳中の女性ホルモン（エストラジオール）の吸着除去実験
吸着剤として実施例１および比較例１で製造したものを用い、牛乳中のエストラジオールの吸着除去試験を行った。厚さ３ｍｍ、内径６ｃｍ、長さ１００ｃｍのステンレス製カラムに、吸着剤（５ｍｍ×３ｍｍ×１．５ｍｍ）の粒塊を充填し、吸着除去用カラムを作製した。このカラムに、エストラジオール３００ｐｇ／ｍｌを含む原乳（脂肪率３．０％）５ｌを２．８ｌ／分の流速で流入した。一定時間ごとに溶出してきた処理乳３０ｇを分取しＨ2Ｏ１５０ｇ加え３０分間撹拌後、１００００ｒｐｍで遠心分離し、上澄み液を試料とした。これを実施例１９と同様にしてエストラジオール濃度を測定したところ、エストラジオール濃度が検出限界（５ｐｇ／ｍｃ）以下になるまでの時間は、比較例１の吸着剤では３０分間であるのに対し、実施例１の吸着剤では３分間であった。
［実施例１４］
有機塩素剤（クロロサロニル（ＴＰＮ））の吸着除去試験
有機塩素剤は毒性、残留性の点で問題となり、現在はほとんど使用禁止となったが、クロロサロニル（ＴＰＮ）、ＰＣＮＢ、フタルイミド系、クロルベンジレート類等は現在も殺菌剤、殺ダニ剤として使用されている。
吸着剤として実施例５および比較例３で製造したものを用い、キュウリ中のクロロサロニルの吸着除去試験を行った。細片キュウリ２０ｇをアセトン１００ｍｌ中に加え、高速ホモジナイザーで５分間混和した後、吸着剤１ｇを加え、撹拌下一定時間ごとに液層１０ｍｌを採取して抽出液を試験溶液とした。これを「目で見る食品衛生検査法」春田三佐夫他編集、中央法規出版、第９６〜９９頁に記載の方法に準じて処理し、ガスクロマトグラフィーによりクロロサロニル濃度を定量した。
クロロサロニル濃度が検出限界（０．００１ｐｐｍ）以下になるまでの時間は、比較例３の吸着剤では１０分間であるのに対し、実施例５の吸着剤では３分間であった。
［実施例１５］
カーバメート剤の吸着除去試験
カーバメート剤は、殺虫剤として１１種類、除草剤として８種類登録されており、低毒性、低残留性ということで有機リン剤とともに殺虫剤として多く利用されている。
吸着剤として実施例１および比較例１で製造したものを用い、トマト中のカーバメート剤の吸着除去試験を行った。細片トマト２０ｇをアセトン１００ｍｌ中に加え、高速ホモジナイザーで５分間混和した後、吸着剤１ｇを加え、撹拌下一定時間ごとに液層１０ｍｌを採取して抽出液を試験溶液とした。これを「目で見る食品衛生検査法」春田三佐夫他編集、中央法規出版、第１０２〜１０３頁に記載の方法に準じて処理し、ガスクロマトグラフィーによりカーバメート剤濃度を定量した。
カーバメート剤濃度が検出限界（０．００１ｐｐｍ）以下になるまでの時間は、比較例１の吸着剤では１０分間であるのに対し、実施例１の吸着剤では１分間であった。
［実施例１６］
カドミウムの吸着除去実験
カドミウムは、自然界に広く分布し、工業的にも大量に利用され、それに伴う環境汚染や、食品を介しての人体へのカドミウム汚染が問題視されている。カドミウムは経口により大量摂取をした場合には急性胃腸障害が、微量の摂取による慢性中毒では腎障害が生ずる。日本人のカドミウムの１日摂取量は、おおよそ３０〜６０μｇであり、その３０〜４０％は米からであると推定されている。
吸着剤として実施例２および比較例１で製造したものを用い、玄米中のカドミウムの吸着除去試験を行った。細粉玄米１０ｇと吸着剤３ｇを反応器にとり、蒸留水４０ｍｌを加え、さらに硫酸を加えた後、徐々に加熱した。分解液が淡黄色透明になったら冷却し、さらに蒸留水を加えて全量を１００ｍｌとし、試験溶液とした。これを「目で見る食品衛生検査法」春田三佐夫他編集、中央法規出版、第１２６〜１２７頁に記載の方法に準じて処理し、原子吸光光度法によりカドミウムを定量した。
カドミウム濃度が検出限界（０．０２ｐｐｍ）以下になるまでの時間は、比較例１の吸着剤では１０分間であるのに対し、実施例２の吸着剤では３分間であった。
［実施例１７］
ジエチレングリコール（ＤＥＧ）の吸着除去試験
ジエチレングリコール（ＤＥＧ）は、自動車用不凍液、ブレーキ油配合剤、セロハン柔軟剤、ゴム・油脂等の溶剤等として使用されており、その毒性はヒトの場合経口でＬＤ50１０００ｍｇ／ｋｇとされている。
昭和６０年食品添加物として使用が許可されていないジエチレングリコールがワインのコクと甘みを増すことを目的に外国産ワインに混和されわが国へも輸入されていることが判明し問題となった。
吸着剤として実施例２および比較例１で製造したものを用い、ジエチレングリコールの吸着除去試験を行った。ジエチレングリコールを１００μｇ／ｍｌとなるようにメタノールに溶かし、溶液１００ｇを調製した。この溶液４０ｇを採取し、吸着剤３ｇを加え、撹拌下一定時間ごとに液層１０ｍｌを採取し、抽出液を４５℃で濃縮した後水を加えて１０ｍｌに調製して試験溶液とした。これを「目で見る食品衛生検査法」春田三佐夫他編集、中央法規出版、第１１４〜１１５頁に記載の方法に準じて処理し、ガスクロマトグラフィーによりジエチレングリコール濃度を定量した。
ジエチレングリコール濃度が検出限界（１０ｐｐｍ）以下になるまでの時間は、比較例１の吸着剤では１０分間であるのに対し、実施例２の吸着剤では３分間であった。
［実施例１８］
二日酔い防止（アセトアルデヒドの吸着除去）試験
吸着剤として実施例１および比較例１で製造したものを用い、二日酔い防止試験を行った。成人男性２０名につき、飲酒直前に、１０名は実施例３の吸着剤、他の１０名は比較例１の吸着剤をそれぞれ１０ｇ食し、２時間で１人平均５００ｍｌのアルコール飲料（日本酒、アルコール含有率１６％）を摂取した。
飲酒１２時間後における各人の体調を観察したところ、飲酒前に比較例１の吸着剤を摂取した群１０人中、吐き気を催したまたは気分が悪くなった人は０人、胃のむかつきが生じた人は６人であったのに対し、飲酒前に実施例１の吸着剤を摂取した群１０人中、吐き気を催したまたは気分が悪くなった人は０人、胃のむかつきが生じた人は０人であった。
［実施例１９］
油脂の劣化防止（ハイドロパーオキサイトの吸着除去）試験
吸着剤として実施例４および比較例１で製造したものを用い、油脂の劣化防止試験を行った。ゴマ油５００ｍｌを１４５〜１５０℃に加熱して、コイ（魚）５０ｇの丸揚げを１０分間行った。油の温度を２８±１℃まで冷やし、再度１４５〜１５０℃まで加熱した。同じ油を用い、同様の操作を繰り返してコイの丸揚げを１０回行った。吸着剤１０ｇをステンレス製カゴの中に入れ蓋をして閉じ、使用済み油中に入れ、悪臭、色、泡立ち性、粘度、油切れおよび煙（２３０〜２４０℃）の各評価項目について未使用油との比較を行い油の劣化を評価した。
未使用油と比較して全く劣化の起こらない油の状態になるまでの時間は、比較例１の吸着剤では３０分であるのに対し、実施例４の吸着剤では１０分であった。
［実施例２０］
古米の脱臭（カルボニル化合物の吸着除去）試験
古米の米飯では、高温、多湿での貯蔵中に脂肪酸が分解し、ｎーバレルアルデヒド、ｎーカプロアルデヒド等のカルボニル化合物が生成して古米臭を形成するといわれている。
吸着剤として、実施例１および比較例１と同様にして製造し球状に成形したもの（直径約２ｃｍ）を用い、古米の脱臭試験を行った。古米５４０ｇを水洗いした後自動炊飯器に入れ、さらに吸着剤を入れて浸漬し水加減して米飯した。
古米臭を完全に除去するのに必要な吸着剤の個数は、比較例１の吸着剤では３個であるのに対し、実施例３の吸着剤では１個であった。
［実施例２１］
大腸菌ベロドトキシンの吸着除去試験
吸着剤として実施例２で製造したものを用いて、病原性大腸菌Ｏ１５７株が産生する毒素（ベロトキシン１型・２型）の吸着除去試験を行った。なお、使用した試薬、培地および大腸菌は以下のとおりである。
・試薬
大腸菌ベロトキシン検出用キット（デンカ生研株式会社製）
・ＣＡ−ＹＥ培地
カザミノ酸              ２０ｇ
酵母エキス                ６ｇ
ＮａＣｌ              ２．５ｇ
Ｋ2ＨＰＯ4          ８．７１ｇ
塩類溶液＊              １ｍｌ
蒸留水            １０００ｍｌ
ｐＨ８．５（１Ｎ  ＮａＯＨ使用）
＊塩類溶液の組成
ＭｇＳＯ4               ５％
ＭｎＣｌ2           ０．５％
ＦｅＣｌ3           ０．５％
上記試薬を０．００１Ｎ  Ｈ2ＳＯ4に溶解する。
・ＬＢ培地
バクトトリプトン        １０ｇ
イーストエキストラクト    ５ｇ
ＮａＣｌ                  ５ｇ
蒸留水            １０００ｍｌ
ｐＨ７．２（１Ｎ  ＮａＯＨ使用）
・大腸菌      ＴＴ−１１（国立小児医療センター提供菌）
滅菌済み試験管にＣＡ−ＹＥ培地を１０ｍｌずつとり、被検菌を白金線で接種して、３７℃で１８時間激しく振盪培養（１２０回／分）した。培養液を４℃、３５００ｒｐｍで２０分間遠心分離後、Ａｃｒｏｄｉｓｃ０．４５μｍを用い、濾過減菌した。濾過液をチューブに２ｍｌずつとり、それぞれに吸着剤の所定量を加え１０分間混合した後、４℃で２４時間静置した。混合液を４℃、３０００ｒｐｍで２０分間遠心分離後、Ａｃｒｏｄｉｓｃ０．４５μｍを用いて濾過し検体とした。
１検体につき、マイクロプレート（Ｕ型）３系列にドロッパーを用いて、８ウェルまで希釈液２５μｌずつを滴下した。対照ベロトキシン用として２系列にドロッパーを用いて、８ウェルまで希釈液２５μｌずつを滴下した。検体を最後のウェルを除いて２倍段階希釈をした（最後のウェルはラテックスの対照とした）。同様に、対照ベロトキシン１型および２型はそれぞれ１系列ずつ２倍段階希釈した。検体の希釈系列の１列目には感作ラテックスＶＴ１、２列目には感作ラテックスＶＴ２を、また３列目には対照ラテックスを、それぞれ２５μｌずつ滴下した。対照ベロトキシン１型の希釈系列には感作ラテックスＶＴ１を、対照ベロトキシン２型には感作ラテックスＶＴ２を、それぞれ２５μｌ滴下した。マイクロプレートを十分振盪し、検体とラテックス試薬を混和した。反応液の蒸発を防ぐため、マイクロプレートをカバーし、室温に２０時間以上静置後、明るい平坦な場所に黒紙を敷き、その上にマイクロプレートをおいて上方から各ウェルのラテックス沈降像を肉眼で観察し判定した。ベロトキシン１型および２型の吸着除去結果をそれぞれ表２および表３に示す。
0003914265.tif 000003
0003914265.tif 000004
［実施例２２］
抗生物質（エリスロマイシン）の経口投与による下痢防止試験
体重３．０〜３．２ｋｇのウサギを１群６匹用い、混餌によりエリスロマイシン１回４０ｍｇを６時間ごとに１２回経口投与した。毎回、エリスロマイシン投与３０分前に、実施例４で製造した吸着剤を１回３ｇ経口投与した。
下痢症状の発現は、吸着剤非投与群では１００％であったのに対し、吸着剤投与群では０％であった。このとき、吸着剤投与群および非投与群のいずれにおいても、エリスロマイシンの血中濃度は、経口投与から１．５時間後の測定で０．１２〜０．１３μｇ／ｍｌであった。
［実施例２３］
吸着剤入り寒天の製造
実施例１で製造した吸着剤１００ｇを沸騰している鯉の出し汁１Ｃ中で３分間煮沸した。この試料１０ｇを３０ｃｍ°のアルミ容器に入れ、さらに寒天溶液を１５ｇ加えてよくかき混ぜた。これを脱気した後、アルミホイルで蓋をして熱シールし、１２１℃で２０分間オートクレーブで滅菌して吸着剤入り寒天を得た。
［実施例２４］
吸着剤入り寒天の製造
実施例２１において、吸着剤として実施例１で製造した吸着剤を用いた以外は実施例２１と同様にして吸着剤入り寒天を得た。
［実施例２５］
吸着剤入り寒天の製造
約５０ｃｍ3のアルミ容器に、実施例２３と同様にして製造した吸着剤入り寒天１０ｇを入れ、これに寒天溶液２０ｇを加えた。この上に中華風サラダオイルで味付けした昆布を重ね、その上にさらに寒天溶液１０ｇを加えた。これを脱気した後、アルミホイルで蓋をして熱シールし、１２１℃で２０分間オートクレーブで滅菌して吸着剤入り寒天を得た。
［実施例２６］
吸着剤入りアルギン酸カルシウムゲルの製造
実施例２３において、吸着剤として実施例１で製造した吸着剤を用い、寒天溶液の代わりにアルギン酸カルシウムゲルを同量用いた以外は実施例２３と同様にして吸着剤入りアルギン酸カルシウムゲルを得た。
［実施例２７］
吸着剤入りアルギン酸カルシウムゲルの製造
実施例２５において、吸着剤として実施例２で製造した吸着剤を用い、寒天溶液の代わりにアルギン酸カルシウムゲルを同量用いた以外は実施例２５と同様にして吸着剤入りアルギン酸カルシウムゲルを得た。
産業上の利用可能性
本発明の吸着剤は、活性炭を、グリセリンを含有するアルギン酸またはコンニャクの二価金属塩よりなるゲル状物質で被覆したのち、凍結処理し、ついで該グリセリンの一部または全部を除去してなり、該活性炭をゲル状物質中に均一に分散させた分散系からなるので、活性炭が本来有する吸着能を低下させることなく、有害物質を極めて高率に吸着除去することができる。
さらに、本発明の吸着剤は、吸着体として粉末活性炭等の微粒子を用いており、該活性炭をゲル状物質中に均一に分散させた分散系からなるので、活性炭の高分散化により活性炭単独で使用するよりも吸着剤全体としての有効吸着面積が増加し、吸着能の増大により有害物質等を極めて高率に吸着除去することができる。
また、本発明の吸着剤は、活性炭をゲル状物質で被覆しているので、消化器系内に直接投与することができ、食品等に混入されて消化器系内に摂取された有害物質を消化器系内において簡便に吸着除去することができる。しかも、消化器系内に直接投与しても便秘等を伴うことなく、消化器系内の有害物質を吸着除去した後の吸着剤は、極めて速やかに容易に消化器系外に排出されうるものである。
また、本発明の吸着剤は、食品等に混合接触させて食品等に含まれる有害物質等を吸着除去することもできる。この場合、吸着体を単独で使用した場合に比べ、有害物質を吸着除去後の吸着剤を食品から簡単に短時間で分離することができる。さらに、誤って吸着剤が分離されずに食品等に混入して消化器系内に摂取されたとしても、上述のように迅速に消化器系外に排出されるので安全である。
本発明の吸着剤は、上述のように消化器系内に直接投与して利用するほか、加工食品等に混合して利用することもできる。本発明の吸着剤は、加工食品等に混合しても食する際に異物感がなく食感に優れるうえ、食材を黒色に汚染することもない。
本発明の吸着剤は上記の優れた効果を奏するので、食品等に付着もしくは含有されるまたは消化器系内に存在する食品添加物、飼料添加物、農薬類、食中毒の原因物質、アレルゲン、重金属または毒性の強い有機化合物、抗生物質を経口投与した際の抗生物質自体または抗生物質が腸内細菌に作用して生成する有害物質、消化器系内に存在する余剰栄養素、酒類に含有されるオリゴマー、添加物等、アルコール摂取後消化器系内に生成するアルコールの中間代謝物、油脂中の不飽和脂肪酸のハイドロパーオキサイド等の有害物質や魚臭等の臭気成分の吸着除去等に用いた場合特に有用である。